(57)【特許請求の範囲】
【請求項１】
通信ネットワークにおいて動作可能な無線通信装置であって、
複数の異なるパイロット信号を示す少なくとも１つのメッセージを通信デバイスから受信するように構成された受信機であって、
ここで前記通信デバイスから受信する第１のパイロット信号は、符号に適用された第１のオフセットを備え、前記通信デバイスから受信する第２のパイロット信号は、前記符号に適用された第２のオフセットを備え、そして、
前記通信デバイスから受信する前記第１のパイロット信号、前記通信デバイスから受信する前記第２のパイロット信号、及び前記第１のパイロット信号の前記第１のオフセットと前記第２のパイロット信号の前記第２のオフセットとの間の差は、組み合わさって、前記通信デバイスの識別子として働く、受信機と、
他の通信デバイスに命令を送信するように構成された送信機であって、前記命令は、前記通信デバイスと通信するように前記他の通信デバイスに命令する送信機であって、前記受信された少なくとも１つのメッセージに応答して前記命令を送信する送信機と、を備える無線通信装置。
【請求項２】
前記符号は、擬似雑音ショートコードを備える請求項１に記載の装置。
【請求項３】
前記第１のパイロット信号及び前記第２のパイロット信号を前記通信デバイスに割り当てるように構成されたプロセッサをさらに備える請求項１に記載の装置。
【請求項４】
通信ネットワークにおいて動作可能な無線通信装置であって、
通信デバイスから複数の異なるパイロット信号を送信するように構成された送信機であって、
ここで前記通信デバイスから送信する第１のパイロット信号は、符号に適用された第１のオフセットを備え、前記通信デバイスから送信する第２のパイロット信号は、前記符号に適用された第２のオフセットを備え、そして、
前記通信デバイスから送信する前記第１のパイロット信号、前記通信デバイスから送信する前記第２のパイロット信号、及び前記第１のパイロット信号の前記第１のオフセットと前記第２のパイロット信号の前記第２のオフセットとの間の差は、組み合わさって、前記通信デバイスの識別子として働く、送信機と、
前記送信機に結合されたプロセッサであって、前記複数の異なるパイロット信号を送信するように前記送信機に指示するように構成されたプロセッサと、
を備える、無線通信装置。
【請求項５】
前記符号は、擬似雑音ショートコードを備える請求項４に記載の装置。
【請求項６】
前記送信機は、前記複数の異なるパイロット信号を実質的に同時並行して送信するようにさらに構成される請求項４に記載の装置。
【請求項７】
通信ネットワークにおいて通信する無線通信装置が動作する動作方法であって、
複数の異なるパイロット信号を示す少なくとも１つのメッセージを通信デバイスから受信することを備え、
ここで前記通信デバイスから受信する第１のパイロット信号は、符号に適用された第１のオフセットを備え、前記通信デバイスから受信する第２のパイロット信号は、前記符号に適用された第２のオフセットを備え、そして、
前記通信デバイスから受信する前記第１のパイロット信号、前記通信デバイスから受信する前記第２のパイロット信号、及び前記第１のパイロット信号の前記第１のオフセットと前記第２のパイロット信号の前記第２のオフセットとの間の差は、組み合わさって、前記通信デバイスの識別子として働く、
そして、他の通信デバイスに命令を送信することであって、前記命令は、前記通信デバイスと通信するように前記他の通信デバイスに命令し、また前記命令は、前記受信された少なくとも１つのメッセージに応答して送信されることを備える、動作方法。
【請求項８】
前記符号は、擬似雑音ショートコードを備える請求項７に記載の動作方法。
【請求項９】
前記第１のパイロット信号及び前記第２のパイロット信号を前記通信デバイスに割り当てることをさらに備える請求項７に記載の動作方法。
【請求項１０】
通信ネットワークにおいて通信する無線通信装置が動作する動作方法であって、
複数の異なるパイロット信号を通信デバイスから送信することと、
ここで、前記通信デバイスから送信される第１のパイロット信号は、符号に適用された第１のオフセットを備え、前記通信デバイスから送信される第２のパイロット信号は、前記符号に適用された第２のオフセットを備え、そして
前記通信デバイスから送信する前記第１のパイロット信号、前記通信デバイスから送信する前記第２のパイロット信号、及び前記第１のパイロット信号の前記第１のオフセットと前記第２のパイロット信号の前記第２のオフセットとの間の差は、組み合わさって、前記通信デバイスの識別子として働き、
そして、前記複数の異なるパイロット信号の前記送信を指示すること、
を備える方法。
【請求項１１】
前記符号は、擬似雑音ショートコードを備える請求項１０に記載の動作方法。
【請求項１２】
前記複数の異なるパイロット信号を同時並行して送信することをさらに備える請求項１０に記載の動作方法。
【請求項１３】
通信ネットワークにおいて動作可能な無線通信装置であって、
複数の異なるパイロット信号を示す少なくとも１つのメッセージを通信デバイスから受信するための手段を備え、
ここで、前記通信デバイスから受信する第１のパイロット信号は、符号に適用された第１のオフセットを備え、前記通信デバイスから受信する第２のパイロット信号は、前記符号に適用された第２のオフセットを備え、そして、
前記通信デバイスから受信する前記第１のパイロット信号、前記通信デバイスから受信する前記第２のパイロット信号、及び前記第１のパイロット信号の前記第１のオフセットと前記第２のパイロット信号の前記第２のオフセットとの間の差は、組み合わさって、前記通信デバイスの識別子として働き、
そして、他の通信デバイスに命令を送信するための手段であって、前記命令は、前記通信デバイスと通信するように前記他の通信デバイスに命令し、また前記送信する手段は、前記受信された少なくとも１つのメッセージに応答して前記命令を送信する手段を備える、無線通信装置。
【請求項１４】
前記符号は、擬似雑音ショートコードを備える請求項１３に記載の装置。
【請求項１５】
前記第１のパイロット信号及び前記第２のパイロット信号を前記通信デバイスに割り当てるための手段をさらに備える請求項１３に記載の装置。
【請求項１６】
通信ネットワークにおいて動作可能な無線通信装置であって、
複数の異なるパイロット信号を通信デバイスから送信するための手段を備え、
ここで、前記通信デバイスから送信する第１のパイロット信号は、符号に適用された第１のオフセットを備え、前記通信デバイスから送信する第２のパイロット信号は、前記符号に適用された第２のオフセットを備え、そして、
前記通信デバイスから送信する前記第１のパイロット信号、前記通信デバイスから送信する前記第２のパイロット信号、及び前記第１のパイロット信号の前記第１のオフセットと前記第２のパイロット信号の前記第２のオフセットとの間の差は、組み合わさって、前記通信デバイスの識別子として働き、
そして、前記複数の異なるパイロット信号を送信するように前記通信デバイスに指示するための手段、
を備える無線通信装置。
【請求項１７】
前記符号は、擬似雑音ショートコードを備える請求項１６に記載の装置。
【請求項１８】
前記送信する手段は、前記複数の異なるパイロット信号を実質的に同時並行して送信するようにさらに構成される請求項１６に記載の装置。
【請求項１９】
コンピュータによって読み取り可能でコードを格納している媒体であって、前記コードが、
複数の異なるパイロット信号を示す少なくとも１つのメッセージを通信デバイスから受信することをコンピュータに行わせるための符号を備え、
ここで前記通信デバイスから受信する第１のパイロット信号は、符号に適用された第１のオフセットを備え、前記通信デバイスから受信する第２のパイロット信号は、前記符号に適用された第２のオフセットを備え、そして、
前記通信デバイスから受信する前記第１のパイロット信号、前記通信デバイスから受信する前記第２のパイロット信号、及び前記第１のパイロット信号の前記第１のオフセットと前記第２のパイロット信号の前記第２のオフセットとの間の差は、組み合わさって、前記通信デバイスの識別子として働き、
また、他の通信デバイスに命令を送信することをコンピュータに行わせるための符号であって、前記命令は、前記通信デバイスと通信するように前記他の通信デバイスに命令する符号を備え、ここで前記命令は、前記受信された少なくとも１つのメッセージに応答して送信される、
コンピュータによって読み取り可能な媒体。
【請求項２０】
前記符号は、擬似雑音ショートコードを備える請求項１９に記載のコンピュータによって読み取り可能な媒体。
【請求項２１】
前記コンピュータによって読み取り可能な媒体は、前記第１のパイロット信号及び前記第２のパイロット信号を前記通信デバイスに割り当てることをコンピュータに行わせるための符号をさらに備える請求項１９に記載のコンピュータによって読み取り可能な媒体。
【請求項２２】
コンピュータによって読み取り可能でコードを格納している媒体であって、前記コードが、
複数の異なるパイロット信号を通信デバイスから送信することをコンピュータに行わせるための符号を備え、
ここで前記通信デバイスから送信する第１のパイロット信号は、符号に適用された第１のオフセットを備え、前記通信デバイスから送信する第２のパイロット信号は、前記符号に適用された第２のオフセットを備え、そして
前記通信デバイスから送信する前記第１のパイロット信号、前記通信デバイスから送信する前記第２のパイロット信号、及び前記第１のパイロット信号の前記第１のオフセットと前記第２のパイロット信号の前記第２のオフセットとの間の差は、組み合わさって、前記通信デバイスの識別子として働き、
そして、前記複数の異なるパイロット信号の前記送信を指示することをコンピュータに行わせるための符号を備える、コンピュータによって読み取り可能な媒体。
【請求項２３】
前記符号は、擬似雑音ショートコードを備える請求項２２に記載のコンピュータによって読み取り可能な媒体。
【請求項２４】
前記コンピュータによって読み取り可能な媒体は、前記複数の異なるパイロット信号を同時並行して送信することをコンピュータに行わせるための符号をさらに備える請求項２２に記載のコンピュータによって読み取り可能な媒体。
【請求項２５】
請求項１に記載の装置において、前記複数のパイロット信号は、異なるオフセットの擬似雑音ショートコードを備える。
【請求項２６】
請求項２に記載の装置において、前記擬似雑音ショートコードは、前記通信デバイスを識別する符号あるいは数字の系列を備える。
【発明の詳細な説明】
【技術分野】
【０００１】
３５Ｕ．Ｓ．Ｃ．§１１９に基づく優先権の主張
本特許出願は、“FEMTO CELL HAND-IN METHODS AND SYSTEMS FOR LEGACY MOBILE TERMINALS WITH MULTIPLE PILOT TRANSMISSION FROM FEMTO CELLS”（フェムトセルからの複数のパイロット送信を有するレガシーモバイル端末のためのフェムトセルハンドイン方法及びシステム）という題名を有する米国仮特許出願第６１／１１８，８６６号（出願日：２００８年１２月１日）に対する優先権を主張するものである。上記の引用される出願は、ここにおける引用によってここによって明示で組み入れられている。
【０００２】
本出願は、概して、無線通信に関するものである。本出願は、より具体的には、無線通信デバイスを一意で識別するために複数のパイロット信号を用いるためのシステム及び方法に関するものである。
【背景技術】
【０００３】
様々なタイプの通信（例えば音声、データ、マルチメディアサービス、等）を複数のユーザに提供することを目的として無線通信システムが広範囲にわたって配備されている。高速なマルチメディアデータサービスの要求が急増するのに応じて、向上された性能を有する、効率的でロバスト（ｒｏｂｕｓｔ）な通信システムを実装するという難題が存在する。
【０００４】
現在配置されている携帯電話ネットワークに加えて、新たなクラスの小型基地局が出現しており、それらは、ユーザの家に設置すること及び既存のブロードバンドインターネット接続を用いてモバイルユニットに屋内無線カバレッジを提供することができる。このようなパーソナルな超小型基地局は、概して、アクセスポイント基地局、又は代替として、ホームノードＢ（ＨＮＢ）又はフェムトノードと呼ばれる。典型的に、該超小型基地局は、ＤＳＬルータ又はケーブルモデムを介してインターネット及びモバイルオペレータのネットワークに接続される。伝統的なマクロノードのカバレッジエリアにおいて個々のユーザによって複数のフェムトノードを配備することができる。フェムトノードが所定のエリアにおいてより多くの数のフェムトノードに対処するためにそれ自体を識別する方法を調整することが望ましい場合がある。
【発明の概要】
【０００５】
本発明のシステム、方法、及びデバイスは、幾つかの態様をそれぞれ有しており、それらのいずれの１つもその望ましい属性を単独で担当しているわけではない。後続する請求項によって表される本発明の適用範囲を限定することなしに、今度は幾つかの特徴が簡単に説明される。この説明を検討後、特に“発明を実施するための形態”という題名の節を読んだ後に、本発明の特徴が限られたリソースを用いて複数のノードを識別することを含む利点をどのようにして提供するかを理解するであろう。
【０００６】
本開示の一実施形態は、通信ネットワークにおいて動作可能な無線通信装置を提供する。装置は、複数の異なるパイロット信号を示す少なくとも１つのメッセージを通信デバイスから受信するように構成された受信機を備える。第１のパイロット信号は、符号に適用された第１のオフセットを備える。第２のパイロット信号は、符号に適用された第２のオフセットを備える。少なくとも第１のオフセットと第２のオフセットとの間の差が、通信デバイスの識別子として働く。装置は、他の通信デバイスに命令を送信するように構成された送信機をさらに備える。命令は、通信デバイスと通信するように他の通信デバイスに命令する。送信機は、受信された少なくとも１つのメッセージに応答して命令を送信する。
【０００７】
本開示の他の実施形態は、通信ネットワークにおいて動作可能な無線通信装置を提供する。装置は、複数の異なるパイロット信号を送信するように構成された送信機を備える。第１のパイロット信号は、符号に適用された第１のオフセットを備える。第２のパイロット信号は、符号に適用された第２のオフセットを備える。少なくとも第１のオフセットと第２のオフセットとの間の差が、無線通信装置の識別子として働く。装置は、送信機に結合されたプロセッサをさらに備え、プロセッサは、複数の異なるパイロット信号を送信するように送信機に指示するように構成される。
【０００８】
本開示のさらに他の実施形態は、通信ネットワークにおいて通信するための方法を提供する。方法は、複数の異なるパイロット信号を示す少なくとも１つのメッセージを通信デバイスから受信することを備える。第１のパイロット信号は、符号に適用された第１のオフセットを備える。第２のパイロット信号は、符号に適用された第２のオフセットを備える。少なくとも第１のオフセットと第２のオフセットとの間の差が、通信デバイスの識別子として働く。方法は、他の通信デバイスに命令を送信することをさらに備える。命令は、通信デバイスと通信するように他の通信デバイスに命令する。命令は、受信された少なくとも１つのメッセージに応答して送信される。
【０００９】
本開示のさらなる実施形態は、通信ネットワークにおいて通信するための方法を提供する。方法は、複数の異なるパイロット信号を送信することを備える。第１のパイロット信号は、符号に適用された第１のオフセットを備える。第２のパイロット信号は、符号に適用された第２のオフセットを備える。少なくとも第１のオフセットと第２のオフセットとの間の差が、無線通信装置の識別子として働く。方法は、複数の異なるパイロット信号の送信を指示することをさらに備える。
【００１０】
本開示のさらに他の実施形態は、通信ネットワークにおいて動作可能な無線通信装置を提供する。装置は、複数の異なるパイロット信号を示す少なくとも１つのメッセージを通信デバイスから受信するための手段を備える。第１のパイロット信号は、符号に適用された第１のオフセットを備える。第２のパイロット信号は、符号に適用された第２のオフセットを備える。少なくとも第１のオフセットと第２のオフセットとの間の差が、通信デバイスの識別子として働く。装置は、他の通信デバイスに命令を送信するための手段をさらに備える。命令は、通信デバイスと通信するように他の通信デバイスに命令する。送信する手段は、受信された少なくとも１つのメッセージに応答して命令を送信する。
【００１１】
本開示の他の実施形態は、通信ネットワークにおいて動作可能な無線通信装置を提供する。装置は、複数の異なるパイロット信号を送信するための手段を備える。第１のパイロット信号は、符号に適用された第１のオフセットを備える。第２のパイロット信号は、符号に適用された第２のオフセットを備える。少なくとも第１のオフセットと第２のオフセットとの間の差が、無線通信装置の識別子として働く。装置は、複数の異なるパッド信号を送信するように送信機に指示するための手段をさらに備える。
【００１２】
本開示のさらに他の実施形態は、コンピュータによって読み取り可能な媒体を備えるコンピュータプログラム製品を提供する。コンピュータによって読み取り可能な媒体は、複数の異なるパイロット信号を示す少なくとも１つのメッセージを通信デバイスから受信することをコンピュータに行わせるための符号を備える。第１のパイロット信号は、符号に適用された第１のオフセットを備える。第２のパイロット信号は、符号に適用された第２のオフセットを備える。少なくとも第１のオフセットと第２のオフセットとの間の差が、通信デバイスの識別子として働く。コンピュータによって読み取り可能な媒体は、他の通信デバイスに命令を送信することをコンピュータに行わせるための符号をさらに備える。命令は、通信デバイスと通信するように他の通信デバイスに命令する。命令は、受信された少なくとも１つのメッセージに応答して送信される。
【００１３】
本開示のさらなる実施形態は、コンピュータによって読み取り可能な媒体を備えるコンピュータプログラム製品を提供する。コンピュータによって読み取り可能な媒体は、複数の異なるパイロット信号を送信することをコンピュータに行わせるための符号を備える。第１のパイロット信号は、符号に適用された第１のオフセットを備える。第２のパイロット信号は、符号に適用された第２のオフセットを備える。少なくとも第１のオフセットと第２のオフセットとの間の差が、無線通信装置の識別子として働く。コンピュータによって読み取り可能な媒体は、複数の異なるパイロット信号の送信を指示することをコンピュータに行わせるための符号をさらに備える。
【図面の簡単な説明】
【００１４】
【図１】典型的な無線通信ネットワークを示した図である。
【図２】２つ以上の通信ネットワークの典型的な相互動作を示した図である。
【図３】図１及び２に示される無線通信ネットワークの典型的なカバレッジエリアを示した図である。
【図４】図２の通信ネットワークのうちの１つにおける第１の典型的なフェムトノード及び第１の典型的なアクセス端末の機能ブロックである。
【図５】図２の通信ネットワークのうちの１つにおける第２の典型的なフェムトノードの機能ブロックである。
【図６】図２の通信ネットワークのうちの１つにおける第２の典型的なアクセス端末の機能ブロックである。
【図７】図２の通信ネットワークのうちの１つにおける典型的なマクロノードの機能ブロックである。
【図８】フェムトノードの第１の典型的な関連性及び図４、５、及び７に示される典型的なフェムトノード及び典型的なマクロノードによって用いることができるパイロット信号を示したテーブルである。
【図９】図４及び５に示されるフェムトノードを識別するための典型的なプロセスを示したフローチャートである。
【発明を実施するための形態】
【００１５】
語句“典型的な”は、“１つの例、事例、又は実例”を提供することを意味するためにここにおいて用いられる。ここにおいて“典型的な”として説明されるいずれの実施形態も、その他の実施形態よりも好ましい又は有利であるとは必ずしも解釈されるべきではない。ここにおいて説明される技法は、様々な無線通信ネットワーク、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク、等、に関して用いることができる。用語 “ネットワーク” 及び “システム”は、互換可能な形でしばしば用いられる。ＣＤＭＡネットワークは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、低チップレート（ＬＣＲ）と、を含む。ｃｄｍａ２０００は、ＩＳ−２０００規格、ＩＳ−９５規格及びＩＳ−８５６規格を網羅する。ＴＤＭＡネットワークは、グローバル移動体通信システム（ＧＳＭ（登録商標））、等の無線技術を実装することができる。ＯＦＤＭＡネットワークは、エボルブド（Ｅｖｏｌｖｅｄ）ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡ、等の無線技術を実装することができる。ＵＴＲＡ、Ｅ−ＵＴＲＡ、及びＧＳＭは、ユニバーサル移動体通信システム（ＵＭＴＳ）の一部である。ロングタームエボリューション（Ｌｏｎｇ  Ｔｅｒｍ  Ｅｖｏｌｕｔｉｏｎ）（ＬＴＥ）は、Ｅ−ＵＴＲＡを使用するＵＭＴＳの近い将来のリリース版である。ＵＴＲＡ、Ｅ−ＵＴＲＡ、ＧＳＭ、ＵＭＴＳ及びＬＴＥは、“第３世代パートナーシッププロジェクト”（３ＧＰＰ）という名称の組織からの文書において記述されている。ｃｄｍａ２０００は、“第３世代パートナーシッププロジェクト２”（３ＧＰＰ２）という名称の組織からの文書において記述されている。これらの様々な無線技術及び規格は、当業において知られている。
【００１６】
単一搬送波変調及び周波数領域等化を利用する単一搬送波周波数分割多元接続（ＳＣ−ＦＤＭＡ）が１つの技法である。ＳＣ−ＦＤＭＡは、ＯＦＤＭＡシステムの性能と同様のそれ及びＯＦＤＭＡシステムの全体的複雑さと基本的に同じそれを有する。ＳＣ−ＦＤＭＡ信号は、それの固有の単一搬送波構造に起因してより低いピーク対平均電力比（ＰＡＰＲ）を有する。ＳＣ−ＦＤＭＡは、より低いＰＡＰＲが送信電力効率の点でモバイル端末にとって非常に有益であるアップリンク通信において特に、高い注目を集めている。それは、現在においては、３ＧＰＰロングタームエボリューション（ＬＴＥ）、又はＥｖｏｌｖｅｄ  ＵＴＲＡにおけるアップリンク多元接続方式に関する実効的な仮定（ａｓｓｕｍｐｔｉｏｎ）である。
【００１７】
幾つかの態様においては、ここにおける教示は、マクロ規模のカバレッジ（例えば、３Ｇネットワーク等の大きなエリアのセルラーネットワークであり、マクロセルネットワークと典型的に呼ばれる）と、それよりも小規模のカバレッジ（例えば、住宅を基地とする又は建物を基地とするネットワーク環境）と、を含むネットワークにおいて採用することができる。アクセス端末（“ＡＴ”）が該ネットワーク内を移動するのに応じて、マクロカバレッジを提供するアクセスノード（“ＡＮ”）によって一定の所在位置においてアクセス端末にサービスを提供することができ、その一方でより小規模なカバレッジを提供するアクセスノードによってその他の所在位置においてアクセス端末にサービスを提供することができる。幾つかの態様においては、より小さいカバレッジのノードは、漸増的な容量の増大、建物内のカバレッジ、及び（例えば、よりロバストなユーザ体験のための）異なるサービスを提供するために用いることができる。ここにおける説明では、相対的に大きなエリアにわたってカバレッジを提供するノードは、マクロノードと呼ぶことができる。相対的に小さいエリア（例えば、住宅）にわたってカバレッジを提供するノードは、フェムトノードと呼ぶことができる。マクロエリアよりも小さくかつフェムトエリアよりも大きいエリアにわたってカバレッジを提供するノードは、（例えば、商業ビル内でのカバレッジを提供する）ピコノードと呼ぶことができる。
【００１８】
マクロノード、フェムトノード、又はピコノードと関連づけられたセルは、マクロセル、フェムトセル、又はピコセルとそれぞれ呼ぶことができる。幾つかの実装においては、各セルは、１つ以上のセクタとさらに関連づける（例えば、１つ以上のセルに分割する）ことができる。
【００１９】
様々な用途において、マクロノード、フェムトノード、又はピコノードを指し示すためにその他の用語を用いることができる。例えば、マクロノードは、アクセスノード、基地局、アクセスポイント、ｅＮｏｄｅＢ、マクロセル、等として構成すること又はアクセスノード、基地局、アクセスポイント、ｅＮｏｄｅＢ、マクロセル、等と呼ぶことができる。さらに、フェムトノードは、ホームＮｏｄｅＢ、ホームｅＮｏｄｅＢ、アクセスポイント基地局、フェムトセル、等として構成すること又はホームＮｏｄｅＢ、ホームｅＮｏｄｅＢ、アクセスポイント基地局、フェムトセル、等と呼ぶことができる。
【００２０】
図１は、典型的な無線通信ネットワーク１００を示す。無線通信ネットワーク１００は、幾つかのユーザ間での通信をサポートするように構成される。無線通信ネットワーク１００は、１つ以上のセル１０２、例えば、セル１０２ａ乃至１０２ｇ、に分割することができる。セル１０２ａ乃至１０２ｇ内の通信カバレッジは、１つ以上のノード１０４、例えば、ノード１０４ａ乃至１０４ｇ、によって提供することができる。各ノード１０４は、対応するセル１０２に通信カバレッジを提供することができる。ノード１０４は、複数のアクセス端末（ＡＴ）、例えば、ＡＴ１０６ａ乃至１０６ｌ、と対話することができる。
【００２１】
各ＡＴ１０６は、所定の時点に順方向リンク（ＦＬ）及び／又は逆方向リンク（ＲＬ）において１つ以上のノード１０４と通信することができる。ＦＬは、ノードからＡＴへの通信リンクである。ＲＬは、ＡＴからノードへの通信リンクである。ノード１０４は、例えば、適切な有線又は無線のインタフェースによって相互接続することができ及び互いに通信することができる。従って、各ＡＴ１０６は、１つ以上のノード１０４を通じて他のＡＴ１０６と通信することができる。例えば、ＡＴ１０６ｊは、ＡＴ１０６ｈと次のように通信することができる。ＡＴ１０６ｊは、ノード１０４ｄと通信することができる。ノード１０４ｄは、ノード１０４ｂと通信することができる。ノード１０４ｂは、ＡＴ１０６ｈと通信することができる。このようにして、ＡＴ１０６ｊとＡＴ１０６ｈとの間で通信が確立される。
【００２２】
無線通信ネットワーク１００は、大きな地域にわたってサービスを提供することができる。例えば、セル１０２ａ乃至１０２ｇは、近隣内の数ブロックのみ又は農村環境における数平方マイルを網羅することができる。一実施形態においては、各セルは、１つ以上のセクタ（示されていない）にさらに分割することができる。
【００２３】
上述されるように、ノード１０４は、そのカバレッジエリア内での通信ネットワーク、例えば、インターネット又はセルラーネットワーク、へのアクセスをアクセス端末（ＡＴ）１０６に提供することができる。
【００２４】
ＡＴ１０６は、通信ネットワークを通じて音声又はデータを送信及び受信するためにユーザによって用いられる無線通信デバイス（例えば、携帯電話、ルータ、パソコン、サーバ、等）であることができる。アクセス端末（ＡＴ）は、ここにおいてはユーザ装置（ＵＥ）、移動局（ＭＳ）、又は端末デバイスと呼ぶこともできる。図示されるように、ＡＴ１０６ａ、１０６ｈ、及び１０６ｊは、ルータを備える。ＡＴ１０６ｂ乃至１０６ｇ、１０６ｉ、１０６ｋ、及び１０６ｌは、携帯電話を備える。しかしながら、ＡＴ１０６ａ乃至１０６ｌの各々は、あらゆる適切な通信デバイスを備えることができる。
【００２５】
図２は、２つ以上の通信ネットワークの典型的な相互動作を示す。ＡＴ２２０がＡＴ２２１等の他のＡＴに情報を送信する又はＡＴ２２１等の他のＡＴから情報を受信するのが望ましいことがある。図２は、ＡＴ２２０、２２１、及び２２２が互いに通信することができる方法を示す。図２に示されるように、マクロノード２０５は、マクロエリア２３０内のアクセス端末に通信カバレッジを提供することができる。例えば、ＡＴ２２０は、マクロノード２０５へのメッセージを生成及び送信することができる。メッセージは、様々なタイプの通信に関連する情報（例えば、音声、データ、マルチメディアサービス、等）を備えることができる。ＡＴ２２０は、無線リンクを介してマクロノード２０５と通信することができる。マクロノード２０５は、有線リンクを介して又は無線リンクを介してネットワーク２４０と通信することができる。フェムトノード２１０及び２１２も、有線リンクを介して又は無線リンクを介してネットワーク２４０と通信することができる。ＡＴ２２２は、無線リンクを介してフェムトノード２１０と通信することができ、ＡＴ２２１は、無線リンクを介してフェムトノード２１２と通信することができる。
【００２６】
マクロノード２０５は、ネットワーク２４０を通じてデバイス、例えば、サーバ（図２に示されていない）及び交換センター（図２に示されていない）、と通信することもできる。例えば、マクロノード２０５は、ＡＴ２２０から受信されたメッセージを交換センター（図２に示されていない）に送信することができ、それは、メッセージを他のネットワークに転送することができる。ネットワーク２４０は、ＡＴ２２０、ＡＴ２２１、及びＡＴ２２２の間での通信を容易にするために用いることもできる。例えば、ＡＴ２２０は、ＡＴ２２１と通信状態であることができる。ＡＴ２２０は、マクロノード２０５にメッセージを送信することができる。マクロノード２０５は、ネットワーク２４０にメッセージを転送することができる。ネットワーク２４０は、フェムトノード２１２にメッセージを転送することができる。フェムトノード２１２は、ＡＴ２２１にメッセージを転送することができる。同様に、ＡＴ２２１からＡＴ２２０に逆方向の経路をたどることができる。他の例においては、ＡＴ２２１は、ＡＴ２２２と通信状態であることができる。ＡＴ２２１は、フェムトノード２１２にメッセージを送信することができる。フェムトノード２１２は、ネットワーク２４０にメッセージを転送することができる。ネットワーク２４０は、フェムトノード２１０にメッセージを転送することができる。フェムトノード２１０は、ＡＴ２２２にメッセージを転送することができる。同様に、ＡＴ２２２からＡＴ２２１に逆方向の経路をたどることができる。
【００２７】
一実施形態においては、フェムトノード２１０、２１２は、個々の消費者によって配備し、自宅、アパート、オフィスビル、等に設置することができる。フェムトノード２１０、２１２は、予め決められたセルラー送信帯域を利用するフェムトノード２１０、２１２から予め決められた範囲（例えば、１００ｍ）内のＡＴと通信することができる。一実施形態においては、フェムトノード２１０、２１２は、インターネットプロトコル（ＩＰ）接続、例えば、デジタル加入者ライン（ＤＳＬ、例えば、非対称ＤＳＬ（ＡＤＳＬ）、高データレートＤＳＬ（ＨＤＳＬ）、超高速ＤＳＬ（ＶＤＳＬ）、等を含む）、インターネットプロトコル（ＩＰ）トラフィックを搬送するＴＶケーブル、電力線を通じてのブロードバンド（ＢＰＬ）接続、又はその他のリンク、によってネットワーク２４０と通信することができる。
【００２８】
ネットワーク２４０は、コンピュータ及び／又はデバイスから成るあらゆるタイプの電子的に接続されたグループを備えることができ、例えば、次のネットワーク、すなわち、インターネット、イントラネット、ローカルエリアネットワーク（ＬＡＮ）又はワイドエリアネットワーク（ＷＡＮ）を含む。さらに、ネットワークへの接続性は、例えば、リモートモデム、イーサネット（登録商標）（ＩＥＥＥ８０２．３）、トークンリング（ＩＥＥＥ８０２．５）、ファイバ分散型データリンクインタフェース（ＦＤＤＩ）非同期転送モード（ＡＴＭ）、無線イーサネット（ＩＥＥＥ８０２．１１）、又はＢｌｕｅｔｏｏｔｈ（登録商標）（ＩＥＥＥ８０２．１５．１）であることができる。計算デバイスは、デスクトップ、サーバ、ポータブル、ハンドヘルド、セットトップ、又はあらゆるその他の希望されるタイプの構成であることができる。ここで用いられる場合において、ネットワーク２４０は、ネットワークの変形、例えば、パブリックインターネット、インターネット内のプライベートネットワーク、インターネット内のセキュリティが確保されたネットワーク、プライベートネットワーク、パブリックネットワーク、付加価値ネットワーク、イントラネット、等を含む。一定の実施形態においては、ネットワーク２４０は、仮想プライベートネットワーク（ＶＰＮ）も備えることができる。
【００２９】
図３は、図１及び２に示される無線通信ネットワーク１００及び２００の典型的なカバレッジエリアを示す。カバレッジエリア３００は、ＡＴ２２０が図２に関連して説明したように通信ネットワーク２４０にアクセスすることができる１つ以上の地理上のエリアを備えることができる。図示されるように、カバレッジエリア３００は、幾つかの追跡エリア３０２（又はルーティングエリア又は位置エリア）を備える。各追跡エリア３０２は、幾つかのマクロエリア３０４を備え、それらは、図２に関連して説明したマクロエリア２３０と同様であることができる。ここで、追跡エリア３０２Ａ、３０２Ｂ、及び３０２Ｃと関連づけられたカバレッジのエリアは、太い線で輪郭が描かれ、マクロエリア３０４は、六角形で表される。追跡エリア３０２は、フェムトエリア３０６を備えることもでき、それらは、図２に関連して説明したフェムトエリア２３０と同様であることができる。この例においては、フェムトエリア３０６の各々（例えば、フェムトエリア３０６Ｃ）は、マクロエリア３０４（例えば、マクロエリア３０４Ｂ）内において描かれる。しかしながら、フェムトエリア３０６は、マクロエリア３０４内に完全に納まらないことがあることが理解されるべきである。実際、所定の追跡エリア３０２又はマクロエリア３０４に関して非常に多数のフェムトエリア３０６を定義することができる。さらに、所定の追跡エリア３０２又はマクロエリア３０４内において１つ以上のピコエリア（示されていない）を定義することができる。
【００３０】
図２を再参照し、フェムトノード２１０の所有者は、通信ネットワーク２４０（例えば、モバイルオペレータコアネットワーク）を通じて提供されるモバイルサービス、例えば、３Ｇモバイルサービス、に加入することができる。さらに、アクセス端末２２１は、マクロ環境（例えば、マクロエリア）及びそれよりも小規模な（例えば、住宅、フェムトエリア、ピコエリア、等の）ネットワーク環境の両方において動作することが可能である。換言すると、アクセス端末２２１の現在位置に依存して、アクセス端末２２１は、マクロノード２０５によって又は一組のフェムトノードのうちのいずれか１つ（例えば、フェムトノード２１０、２１２）によって通信ネットワーク２４０にアクセスすることができる。例えば、加入者が自宅外にいるときには、彼は、マクロノード（例えば、ノード２０５）によってサービスが提供されることができ、加入者が自宅にいるときには、彼は、フェムトノード（例えば、ノード２１０）によってサービスが提供されることができる。フェムトノード２１０は、既存のアクセス端末２２１と後方互換可能（ｂａｃｋｗａｒｄ  ｃｏｍｐａｔｉｂｌｅ）であることがさらに理解されるべきである。
【００３１】
フェムトノード２１０は、単一の周波数で、又は代替においては、複数の周波数で、通信することができる。特定の構成に依存して、単一の周波数又は複数の周波数のうちの１つ以上は、マクロノード（例えば、ノード２０５）によって用いられる１つ以上の周波数と重なり合うことができる。
【００３２】
一実施形態においては、アクセス端末２２１は、アクセス端末２２１がフェムトノードの通信範囲内にあるときに常に特定の（例えば、好ましい（ｐｒｅｆｅｒｒｅｄ））フェムトノード（例えば、アクセス端末２２１のホームフェムトノード）に接続するように構成することができる。例えば、アクセス端末２２１は、アクセス端末２２１がフェムトエリア２１５内にあるときにはフェムトノード２１０のみと通信することができる。
【００３３】
他の実施形態においては、アクセス端末２２１は、ノードと通信中であるが、（例えば、好ましいローミングリストにおいて定義される）好ましいノードと通信中でない。この実施形態においては、アクセス端末２２１は、ベターシステム再選択（Ｂｅｔｔｅｒ  Ｓｙｓｔｅｍ  Ｒｅｓｅｌｅｃｔｉｏｎ）（“ＢＳＲ”）を用いて好ましいノード（例えば、好ましいフェムトノード２１０）を探し続けることができる。ＢＳＲは、より良いシステムを現在利用可能であるかどうかを決定するために利用可能なシステムの定期的な走査を備える方法を備えることができる。ＢＳＲは、利用可能な好ましいシステムと関連づけるのを試みることをさらに備えることができる。アクセス端末２２１は、１つ以上の特定の帯域及び／又はチャネルにわたって走査することにＢＳＲを制限することができる。好ましいフェムトノード２１０を発見次第、アクセス端末２２１は、フェムトエリア２１５内の通信ネットワーク２４０にアクセスするために通信するためのフェムトノード２１０を選択する。
【００３４】
例えば、マクロノード２０５と通信中であることができるＡＴ２２１がフェムトノード２１０に接近したときには、それは、フェムトノード２１０にハンドオフ（すなわち、アイドル又はアクティブなハンドオフ）することができる。従って、ＡＴ２２２は、フェムトノード２１０との通信を開始する。モバイルネットワーク、例えば、１ｘＲＴＴ、１ｘＥＶ−ＤＯ、ＷＣＤＭＡ、ＨＳＰＡ、等、において、アクセス端末がノードに接近したときには、ハンドオフをトリガするための機構が存在する。例えば、各ノード（例えば、フェムトノード、マクロノード、等）は、ビーコンを生成及び送信するように構成することができる。ビーコンは、パイロットチャネルとその他のオーバーヘッドチャネルとを備えることができる。さらに、ビーコンは、異なる周波数で動作中のＡＴがビーコンを検出できるように複数の周波数で送信することができる。ＡＴは、ハンドオフを行うことを目的としてノードを識別するためにそのノードから受信されたビーコンを用いることができる。
【００３５】
アクセス端末（例えば、ＡＴ２２０、２２１、２２２）は、通信ネットワーク２４０にアクセスするためにフェムトノードと通信すべきかどうかを決定するためにフェムトノードを一意で識別することが必要なことがある。例えば、ＡＴ２２１がフェムトノード２１０と通信できるようになる前に、それは、フェムトノード２１０をエリア内のその他のノードと区別することができなければならない。フェムトノード２１０を一意で識別することによって、ＡＴ２２１は、フェムトノード２１０に通信を適宜向けること及びフェムトノード２１０から発生する通信を識別することができる。
【００３６】
一実施形態においては、ＡＴは、フェムトノードから送信されたパイロット信号を備えるビーコンを検出することによってフェムトノードを一意で識別することができる。パイロット信号は、それらが送信された元であるフェムトノードを一意で識別することができる。例えば、フェムトノード２１０及び２１２は、異なるパイロット信号（例えば、パイロット信号Ａ及びパイロット信号Ｂ）を各々送信することができる。ＡＴ２２１は、フェムトノード２１０及び２１２の各々から両方のパイロット信号を受信することができる。次に、ＡＴ２２１は、パイロット強度測定報告（ＰＳＭＲ）を生成することができる。ＰＳＭＲは、受信されたパイロット信号を備えることができる。ＰＳＭＲは、パイロット信号の信号強度（Ｅｃｐ／Ｉｏ）を備えることができる。ＡＴ２２１は、それが通信中であるマクロノード２０５に対してパイロット強度測定メッセージ（ＰＳＭＭ）に入れてＰＳＭＲを送信することができる。
【００３７】
マクロノード２０５は、パイロット信号をフェムトノードにマッピングする情報（例えば、データベース）にアクセスすることができる。一実施形態においては、パイロット信号をノードにマッピングする情報は、マクロノード２０５に格納することができる。他の実施形態においては、マクロノード２０５は、パイロット信号をノードにマッピングする情報を含むネットワーク２４０上のサーバにアクセスすることができる。一実施形態においては、ＡＴ２２１が識別されたフェムトノードと通信するように設定されている場合は、マクロノード２０５は、識別されたフェムトノードにハンドオフするようにＡＴ２２１に指示することができる。他の実施形態においては、マクロノード２０５は、ハンドオフを指示する前にパイロット信号の信号強度がスレショルドレベルを上回るかどうかをさらに決定する。
【００３８】
一実施形態において、各パイロット信号は、オフセット擬似雑音（ＰＮ）ショートコードを備える。オフセットＰＮショートコードは、ノード及び／又はノードタイプ（例えば、フェムトノード、マクロノード、ピコノード）を識別する符号又は数字の系列（例えば、チップ）を備えることができる。オフセットＰＮショートコードは、ＰＮオフセットが適用されたＰＮショートコードを備えることができる。ＰＮオフセットは、ＰＮショートコードに適用された真のネットワーク同期化時間からの遅延を示すことができる。一実施形態においては、全ノードが同じＰＮショートコードを用いることができる。しかしながら、異なるノードに関して異なるＰＮオフセットをＰＮショートコードに適用することができる。従って、ＰＮオフセットは、オフセットＰＮショートコードに直接相関し、用語“ＰＮオフセット”及び“オフセットＰＮショートコード”は、ここにおいては互換可能な形で用いることができる。
【００３９】
一実施形態においては、各ＰＮオフセット間での遅延の増分は、６４チップである。これは、受信されたパイロット信号が区別可能であることを保証する。例えば、フェムトノード２１０とＡＴ２２１との間でパイロット信号を送信するときには、フェムトノード２１０とＡＴ２２１との間の通信経路にわたる伝播遅延に起因する信号遅延が存在することがある。従って、フェムトノード２１０によって送信された６４のＰＮオフセットを有するパイロット信号は、伝播遅延に起因して２チップだけ遅延されることがあり及びＡＴ２２１によって６６のＰＮオフセットとして受信されることがある。ＡＴ２２１は、遅延されたパイロット信号を検出するために予想されるＰＮオフセット値の周囲の探索ウィンドウ（ｓｅａｒｃｈ  ｗｉｎｄｏｗ）内において探索することができる。例えば、ＡＴ２２１は、遅延されたパイロット信号を検出するためにＰＮオフセット６４の周囲の±１０チップの探索ウィンドウを有することができる。６６のオフセットは、いずれのその他のパイロット信号よりも６４のオフセットに近いため、原パイロット信号は６４のオフセットを有する状態で送信されたと想定するのが無難である。従って、各パイロット信号を少なくとも６４のチップだけ分離させることによって、伝播遅延に起因する小さい遅延は、パイロット信号の検出又は送信中のノードの識別に対して影響を与えない。
【００４０】
一実施形態においては、ＰＮオフセットは、信号を送信中のノードのタイプ（例えば、フェムトノード、マクロノード、ピコノード）を識別するために用いることができる。例えば、フェムトノードを識別するために特定の組のＰＮオフセットを予約することができる。しかしながら、使用のために利用可能なＰＮオフセットの数は、地理上のエリア内のフェムトノードの数よりも少ないことがある。従って、ＰＮオフセットだけでは、フェムトノードを一意で識別する上で十分でないことがある。例えば、フェムトノードによる使用のために６つの一意のＰＮオフセットを保留することができる。しかしながら、マクロエリア２３０内には７つ以上のフェムトノードが配備されて存在することができる。その結果、所定のＰＮオフセットを有する単一のパイロット信号を用いて各フェムトノードを識別することは、フェムトノードを一意で識別する上で十分でないことがある。
【００４１】
一実施形態においては、各フェムトノードは、各々が異なる所定のＰＮオフセットを有する複数のパイロット信号によって識別することができる。例えば、フェムトノードのための５つの予約されたＰＮオフセットのうちで、２つのパイロット信号の組み合わせを各フェムトノードのために予約することができる。５つの利用可能なＰＮオフセットに基づくと、１０の一意の組み合わせが存在する。従って、５つのＰＮオフセットのみを用いて１０のフェムトノードを一意で識別することができる。
【００４２】
一実施形態において上述されるように、パイロット信号は、伝播遅延に対処するために６４のチップだけ分離させることができる。伝播遅延は、各通信経路ごとに異なることがあり（例えば、ＡＴ２２１とフェムトノード２１０との間の経路は、ＡＴ２２１とフェムトノード２１２との間の経路と異なる伝播経路を有することがある）。しかしながら、単一の通信経路を通じて送信された各信号に関する伝播遅延は、いずれの所定の時点でも実質的に同じである。例えば、オフセット０で送信されたパイロット信号及びオフセット６４で送信されたパイロット信号は、フェムトノード２１０からＡＴ２２１に両方とも送信することができる。両方のパイロット信号は、同じ経路を伝わり、従って、両方のパイロット信号は、同じ伝播遅延を経る可能性がある。例えば、各パイロット信号は、２チップだけ遅延されることがある。従って、ＡＴ２２１において受信されたオフセットは、２及び６６であることができる。同じ通信経路上を送信された各パイロット信号の遅延は同じであるため、パイロット信号のオフセット間の差は一定である（例えば、６４−０＝６４及び６６−２＝６４）。一実施形態においては、この特徴は、フェムトノードを一意で識別するために用いることができる。
【００４３】
一実施形態においては、フェムトノードによって送信されたパイロット信号のオフセット間の差は、フェムトノードを一意で識別するために用いられる。従って、送信されたパイロット信号のＰＮオフセットは、６４チップ以外の増分だけ分離されるオフセットを有する状態で送信することができる。例えば、フェムトノード２１０には、パイロット信号Ａ及びＢを割り当てることができる。パイロット信号Ａのオフセットは、０であることができ、パイロット信号Ｂのオフセットは、６４であることができる。さらに、フェムトノード２１０には、６６のパイロット信号差を割り当てることができる。フェムトノード２１２には、パイロット信号Ａ及びＢを割り当てることもできる。しかしながら、フェムトノード２１２には、６２のパイロット信号差を割り当てることができる。従って、フェムトノード２１０及び２１２の各々は、パイロット信号Ａ（例えば、オフセット０±１０チップ）及びパイロット信号Ｂ（例えば、オフセット６４±１０チップ）の探索ウィンドウ内でパイロット信号を送信することができる。しかしながら、フェムトノード２１０は、パイロット信号Ａとパイロット信号Ｂとの間の差が６６であるようにパイロット信号Ａ及び／又はパイロット信号Ｂが送信されるときのオフセットを調整することができる。例えば、パイロット信号Ａは、オフセット０で送信することができ、パイロット信号Ｂは、オフセット６６で送信することができる。従って、ＡＴ２２１は、パイロット信号ＡとＢとの間が６６の差でそれらを受信することができる。一実施形態においては、ＡＴ２２１は、パイロット信号Ａ及びＢ及びそれらの各々のＰＮオフセットを報告するＰＳＭＭをマクロノード２０５に送信することができる。マクロノード２０５は、パイロット信号間の差のみによってフェムトノード２１０をパイロット信号の送信元として識別することができる。他の実施形態においては、マクロノード２０５は、パイロット信号間の差によって及びフェムトノード２１０にパイロット信号Ａ及びＢが特に割り当てられることに基づいてフェムトノード２１０をパイロット信号の送信元として識別することができる。
【００４４】
同様に、フェムトノード２１２は、０のオフセットを有するパイロット信号Ａ及び６２のオフセットを有するパイロット信号Ｂを送信することができる。従って、ＡＴ２２１は、パイロット信号を受信することができ及びパイロット信号Ａ及びＢ及びそれらの各々のＰＮオフセットを報告するＰＳＭＭをマクロノード２０５に送信することができる。マクロノード２０５は、受信されたパイロット信号の差に基づいてフェムトノード２１２のアイデンティティを決定することができる。パイロット信号Ａとパイロット信号Ｂとの間の差はフェムトノード２１０及びフェムトノード２１２の各々を依然として一意で識別するため、マクロノード２０５は、フェムトノード２１０もこれらの信号を送信したにもかかわらずフェムトノード２１２を識別することができる。マクロノード２０５は、上述されるようにＡＴ２２１とフェムトノード２１０及び２１２のうちの１つと間でのハンドオフを指示することができる。例えば、ＡＴ２２１がフェムトノード２１０と通信するように設定され及びパイロットの受信された強度がスレショルドよりも大きい場合は、マクロノード２０５は、ハンドオフしてフェムトノード２１０と通信するようにＡＴ２２１に指示することができる。
【００４５】
一実施形態においては、ノードは、一定のサービスを、通信するように設定されている相手である一定のアクセス端末にしか提供することができない。該ノードは、“制限された”又は“クローズド”ノードと呼ぶことができる。制限されたフェムトノードを備える無線通信ネットワークにおいては、所定のアクセス端末は、マクロノード及び定義された一組のフェムトノード（例えば、フェムトノード２１０）によってしかサービスを提供することができない。その他の実施形態においては、ノードは、シグナリング、データアクセス、登録、ページング、又はサービスのうちの少なくとも１つを提供しないように制限することができる。
【００４６】
一実施形態においては、制限されたフェムトノード（それは、クローズド加入者グループホームＮｏｄｅＢと呼ばれることもある）は、制限された設定された１組のアクセス端末にサービスを提供するそれである。この組は、必要に応じて追加の又はより少ないアクセス端末を含めるために一時的に又は永久的に変更することができる。幾つかの態様においては、クローズド加入者グループ（“ＣＳＧ”）は、アクセス端末の共通のアクセス制御リスト（例えば、制限された設定された組のアクセス端末のリスト）を共有するアクセスノード（例えば、フェムトノード）の組であると定義することができる。地域内の全フェムトノード（又はすべての制限されたフェムトノード）が動作するチャネルは、フェムトチャネルと呼ぶことができる。
【００４７】
このように、所定のフェムトノードと所定のアクセス端末との間には様々な関係が存在することができる。例えば、アクセス端末の観点からは、オープンフェムトノードは、制限された関連性を有さないフェムトノードを意味することができる。制限されたフェムトノードは、何らかの形で制限された（例えば、関連づけ及び／又は登録に関して制限された）フェムトノードを意味することができる。ホームフェムトノードは、アクセス端末がアクセス及び動作する権限を付与されているフェムトノードを意味することができる。ゲストフェムトノードは、アクセス端末がアクセスするか又は動作する権限を一時的に付与されているフェムトノードを意味することができる。エイリアンフェムトノードは、アクセス端末がおそらく非常事態（例えば、９１１番への電話）を除いてアクセスする権限も動作する権限も付与されていないフェムトノードを意味することができる。
【００４８】
制限されたフェムトノードの観点からは、ホームアクセス端末は、制限されたフェムトノードにアクセスする権限が付与されているアクセス端末を意味することができる。ゲストアクセス端末は、制限されたフェムトノードへの一時的なアクセス権を有するアクセス端末を意味することができる。エイリアンアクセス端末は、おそらく非常事態、例えば、９１１番への電話、を除いて制限されたフェムトノードにアクセスする許可を有さないアクセス端末を意味することができる。
【００４９】
便宜上、ここにおける開示は、フェムトノードに関連する様々な機能について説明する。しかしながら、ピコノードはより大きいカバレッジエリアに関して同じ又は同様の機能を提供できることが理解されるべきである。例えば、ピコノードは制限することができ、ホームピコノードは、所定のアクセス端末のために定義することができる、等である。
【００５０】
無線多元接続通信システムは、複数の無線アクセス端末のための通信を同時にサポートすることができる。上記されるように、各アクセス端末は、順方向リンク及び逆方向リンクでの送信を介して１つ以上のノードと通信することができる。順方向リンク（又はダウンリンク）は、ノードからアクセス端末への通信リンクを意味し、逆方向リンク（又はアップリンク）は、アクセス端末からノードへの通信リンクを意味する。この通信リンクは、単入単出力システム、多入力多出力（“ＭＩＭＯ”）システム、何らかの他のタイプのシステムを介して確立することができる。
【００５１】
ＭＩＭＯシステムは、データ送信のために複数（ＮＴ）の送信アンテナ及び複数（ＮＲ）の受信アンテナを採用する。ＮＴの送信アンテナ及びＮＲの受信アンテナによって形成されるＭＩＭＯチャネルは、空間チャネルとも呼ばれるＮＳの独立したチャネルを備えることができ、ここで、ＮＳ≦ｍｉｎ｛ＮＴ、ＮＲ｝である。ＮＳの独立したチャネルの各々は、１つの次元に対応する。ＭＩＭＯシステムは、複数の送信アンテナ及び受信アンテナによって形成された追加の次元が利用される場合に向上された性能（例えば、より高いスループット及び／又はより高い信頼性）を提供することができる。
【００５２】
ＭＩＭＯシステムは、時分割複信（“ＴＤＤ”）及び周波数分割複信（“ＦＤＤ”）をサポートすることができる。ＴＤＤシステムにおいては、順方向リンク送信及び逆方向リンク送信は、同じ周波数領域であることができ、このため、相互性の原理（ｒｅｃｉｐｒｏｃｉｔｙ  ｐｒｉｎｃｉｐｌｅ）が、逆方向リンクチャネルからの順方向リンクチャネルの推定を可能にする。これは、デバイス（例えば、ノード、アクセス端末、等）において複数のアンテナを利用可能であるときにデバイスが順方向リンクでの送信ビーム形成利得を抽出するのを可能にする。
【００５３】
ここにおける教示は、少なくとも１つのその他のデバイスと通信するための様々なコンポーネントを採用するデバイス（例えば、ノード、アクセス端末、等）内に組み入れることができる。
【００５４】
図４は、図２の通信ネットワークのうちの１つにおける第１の典型的なフェムトノード４１０及び第１の典型的なアクセス端末４５０の機能ブロック図である。図示されるように、ＭＩＭＯシステム４００は、フェムトノード４１０と、アクセス端末４５０（例えば、ＡＴ２２２）と、を備える。フェムトノード４１０において、幾つかのデータストリームのためのトラフィックデータがデータソース４１２から送信（“ＴＸ”）データプロセッサ４１４に提供される。
【００５５】
一実施形態においては、各データストリームは、各々の送信アンテナを通じて送信される。ＴＸデータプロセッサ４１４は、符号化されたデータを提供するために各データストリームのために選択された特定の符号化方式に基づいてそのデータストリームのためのトラフィックデータをフォーマット化、符号化、及びインターリービングする。
【００５６】
各データストリームのための符号化されたデータは、ＯＦＤＭ技法を用いてパイロットデータと多重化することができる。パイロットデータは、典型的には、既知の方法で処理される既知のデータパターンであり、チャネル応答を推定するために受信機システムにおいて用いることができる。次に、各データストリームのための多重化されたパイロット及び符号化されたデータは、変調シンボルを提供するためにそのデータストリームのために選択された特定の変調方式（例えば、ＢＰＳＫ、ＱＳＰＫ、Ｍ−ＰＳＫ、又はＭ−ＱＡＭ）に基づいて変調（すなわち、シンボルマッピング）される。各データストリームのためのデータレート、符号化、及び変調は、プロセッサ４３０によって実行される命令によって決定することができる。データメモリ４３２は、フェムトノード４１０のプロセッサ４３０又はその他のコンポーネントによって用いられるプログラムコード、データ、及びその他の情報を格納することができる。
【００５７】
次に、全データストリームに関する変調シンボルがＴＸ  ＭＩＭＯプロセッサ４２０に提供され、それは、（例えばＯＦＤＭに関して）変調シンボルをさらに処理することができる。ＴＸ  ＭＩＭＯプロセッサ４２０は、ＮＴの変調シンボルストリームをＮＴのトランシーバ（“ＸＣＶＲ”）４２２Ａ乃至４２２Ｔに提供する。幾つかの態様においては、ＴＸ  ＭＩＭＯプロセッサ４２０は、データストリームのシンボル及びシンボルを送信中であるアンテナにビーム形成重みを加える。
【００５８】
各トランシーバ４２２は、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルでの送信に適した変調された信号を提供する。次に、トランシーバ４２２Ａ乃至４２２ＴからのＮＴの変調された信号が、ＮＴのアンテナ４２４Ａ乃至４２４Ｔからそれぞれ送信される。
【００５９】
フェムトノード４５０において、送信された変調された信号は、ＮＲのアンテナ４５２Ａ乃至４５２Ｒによって受信され、各アンテナ４５２からの受信された信号は、各々のトランシーバ（“ＸＣＶＲ”）４５４Ａ乃至４５４Ｒに提供される。各トランシーバ４５４は、各々の受信された信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供する。
【００６０】
受信（“ＲＸ”）データプロセッサ４６０は、ＮＲのトランシーバ４５４からのＮＲの受信されたシンボルストリームを受信して特定の受信機処理技法に基づいて処理し、ＮＴの“検出された”シンボルストリームを提供する。ＲＸデータプロセッサ４６０は、各々の検出されたシンボルストリームを復調、デインターリービング、及び復号し、データストリームのためのトラフィックデータを復元する。ＲＸデータプロセッサ４６０によって行われる処理は、フェムトノード４１０におけるＴＸ  ＭＩＭＯプロセッサ４２０及びＴＸデータプロセッサ４１４によって行われるそれを補完するものである。
【００６１】
プロセッサ４７０は、いずれのプリコーディング行列を用いるかを定期的に決定する（後述）。プロセッサ４７０は、行列インデックス部分とランク値部分とを備える逆方向リンクメッセージを生成する。データメモリ４７２は、フェムトノード４５０のプロセッサ４７０又はその他のコンポーネントによって用いられるプログラムコード、データ、及びその他の情報を格納することができる。
【００６２】
逆方向リンクメッセージは、通信リンク及び／又は受信されたデータストリームに関する様々なタイプの情報を備えることができる。逆方向リンクメッセージは、ＴＸデータプロセッサ４３８によって処理される。ＴＸデータプロセッサ４３８は、データソース４３６から幾つかのデータストリームのためのトラフィックデータも受信する。変調器４８０は、データストリームを変調する。さらに、トランシーバ４５４Ａ乃至４５４Ｒは、データストリームをコンディショニングし、データストリームをフェムトノード４１０に返信する。
【００６３】
フェムトノード４１０において、フェムトノード４５０からの変調された信号は、アンテナ４２４によって受信される。さらに、トランシーバ４２２は、変調された信号をコンディショニングする。復調器（“ＤＥＭＯＤ”）４４０は、変調された信号を復調する。ＲＸデータプロセッサ４４２は、復調された信号を処理し、フェムトノード４５０によって送信された逆方向リンクメッセージを抽出する。次に、プロセッサ４３０は、ビーム形成重みを決定するためにいずれのプリコーディング行列を用いるかを決定する。さらに、プロセッサ４３０は、抽出されたメッセージを処理する。
【００６４】
さらに、フェムトノード４１０及び／又はフェムトノード４５０は、ここにおいて教示されるように干渉制御動作を行う１つ以上のコンポーネントを備えることができる。例えば、干渉（“ＩＮＴＥＲ”）制御コンポーネント４９０は、ここにおいて教示されるように他のデバイス（例えば、フェムトノード４５０）に信号を送信する／から信号を受信するためにフェムトノード４１０のプロセッサ４３０及び／又はその他のコンポーネントと協力することができる。同様に、干渉制御コンポーネント４９２は、他のデバイス（例えば、フェムトノード４１０）に信号を送信する／から信号を受信するためにフェムトノード４５０のプロセッサ４７０及び／又はその他のコンポーネントと協力することができる。各フェムトノード４１０及び４５０に関して、説明されるコンポーネントのうちの２つ以上の機能は、単一のコンポーネントによって提供できることが理解されるべきである。例えば、単一の処理コンポーネントは、干渉制御コンポーネント４９０及びプロセッサ４３０の機能を提供することができる。さらに、単一の処理コンポーネントは、干渉制御コンポーネント４９２及びプロセッサ４７０の機能を提供することができる。
【００６５】
図５は、図２の通信ネットワークのうちの１つにおける第２の典型的なフェムトノード２１０の機能ブロック図である。図２に関連して説明したように、フェムトノード２１０は、１つ以上のパイロット信号を送信することができる。フェムトノード２１０は、送信モジュール５３１を備えることができる。送信モジュール５３１は、１つ以上のパイロット信号又はその他のアウトバウンド（ｏｕｔｂｏｕｎｄ）メッセージをその他のデバイスに送信することができる。フェムトノード２１０は、ＡＴ２２１等のデバイスからインバウンド（ｉｎｂｏｕｎｄ）メッセージを受信するように構成された受信モジュール５３０を備えることもできる。受信モジュール５３０及び送信モジュール５３１は、処理モジュール５０５に結合することができる。受信モジュール５３０及び送信モジュール５３１は、アウトバウンドメッセージをネットワーク２４０に渡すように、及びインバウンド有線メッセージをネットワーク２４０から受信するように構成することもできる。受信モジュール５３０は、インバウンド有線メッセージを処理のために処理モジュール５０５に渡すことができる。処理モジュール５０５は、ネットワーク２４０への送信のために有線アウトバウンドメッセージを処理して送信モジュール５３１に渡すことができる。処理モジュール５０５は、受信モジュール５３０及び送信モジュール５３１を介してＡＴ２２１から来る又はＡＴ２２１に行くインバウンド及びアウトバウンド無線メッセージを処理するように構成することができる。処理モジュール５０５は、送信モジュール５３１を介しての送信のために１つ以上のパイロット信号を生成するようにさらに構成することができる。処理モジュール５０５は、フェムトノード２１０のその他のコンポーネントを制御するように構成することもできる。
【００６６】
処理モジュール５０５は、格納モジュール５１０に１つ以上のバスを介してさらに結合することができる。処理モジュール５０５は、格納モジュール５１０から情報を読み取ること又は格納モジュール５１０に情報を書き込むことができる。例えば、格納モジュール５１０は、処理前、中、又は後にインバウンド又はアウトバウンドメッセージを格納するように構成することができる。特に、格納モジュール５１０は、フェムトノード２１０に割り当てられたパイロット信号を示す情報を格納するように構成することができる。
【００６７】
受信モジュール５３０及び送信モジュール５３１は、アンテナと、トランシーバと、を備えることができる。トランシーバは、ＡＴ２２１に行く又はＡＴ２２１から来る無線アウトバウンド／インバウンドメッセージをそれぞれ変調／復調するように構成することができる。無線アウトバウンド／インバウンドメッセージは、アンテナを介して送信／受信することができる。アンテナは、１つ以上のチャネルを通じてアウトバウンド／インバウンド無線メッセージをＡＴ２２１に送信する及び／又はから受信するように構成することができる。アウトバウンド／インバウンドメッセージは、音声及び／又はデータ専用情報（ここでは総称して“データ”と呼ばれる）を備えることができる。受信モジュール５３０は、受信されたデータを復調することができる。送信モジュール５３１は、フェムトノード２１０から送信されるデータを変調することができる。処理モジュール５０５は、送信されるデータを提供することができる。
【００６８】
受信モジュール５３０及び送信モジュール５３１は、モデムをさらに備えることができる。モデムは、ネットワーク２４０に行く又はネットワーク２４０から来るアウトバウンド／インバウンド有線メッセージを変調／復調するように構成することができる。受信モジュール５３０は、受信されたデータを復調することができる。復調されたデータは、処理モジュール５０５に送信することができる。送信モジュール５３１は、フェムトノード２１０から送信されるデータを変調することができる。処理モジュール５０５は、送信されるデータを提供することができる。
【００６９】
格納モジュール５１０は、異なるレベルが異なる容量及びアクセス速度を有する多レベル階層キャッシュを含む処理モジュールキャッシュを備えることができる。格納モジュール５１０は、ランダムアクセスメモリ（ＲＡＭ）、その他の揮発性記憶デバイス、又は非揮発性記憶デバイスを備えることもできる。記憶装置は、ハードドライブと、光学ディスク、例えば、コンパクトディスク（ＣＤ）又はデジタルビデオディスク（ＤＶＤ）、と、フラッシュメモリと、フロッピー（登録商標）ディスクと、磁気テープと、Ｚｉｐドライブと、を含むことができる。
【００７０】
別々に説明されるが、フェムトノード２１０に関して説明される機能ブロックは、別個の構造上の要素である必要はないことが理解されるべきである。例えば、処理モジュール５０５及び格納モジュール５１０は、単一のチップにおいて具現化することができる。処理モジュール５０５は、メモリ、例えばレジスタ、を追加で又は代替で含むことができる。同様に、機能ブロックのうちの１つ以上又は様々なブロックの機能の一部分を単一のチップにおいて具現化することができる。代替として、特定のブロックの機能を２つ以上のチップに実装することができる。
【００７１】
フェムトノード２１０に関して説明される機能ブロックのうちの１つ以上及び／又は機能ブロックの１つ以上の組み合わせ、例えば処理モジュール５０５は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラブルな論理デバイス、ディスクリートゲートロジック、ディスクリートトランジスタロジック、ディスクリートハードウェアコンポーネント、又はそれらのあらゆる適切な組み合わせとして具現化することができる。フェムトノード２１０に関して説明される機能ブロックのうちの１つ以上及び／又は機能ブロックの１つ以上の組み合わせは、計算デバイスの組合せ、例えば、ＤＳＰと、１つのマイクロプロセッサとの組合せ、複数のマイクロプロセッサとの組合せ、ＤＳＰ通信と関連する１つ以上のマイクロプロセッサとの組合せ、又はその他のあらゆる該構成との組合せ、として実装することもできる。
【００７２】
図６は、図２の通信ネットワークのうちの１つにおける第２の典型的なアクセス端末２２１の機能ブロック図である。上述されるように、ＡＴ２２１は、携帯電話であることができる。ＡＴ２２１は、フェムトノード２１０及び／又はマクロノード２０５に及び／又はから情報を通信するために用いることができる。
【００７３】
ＡＴ２２１は、格納、送信のための、及び／又はＡＴ２２１のその他のコンポーネントの制御のための情報を処理するように構成された処理モジュール６０５を備えることができる。処理モジュール６０５は、格納モジュール６１０にさらに結合することができる。処理モジュール６０５は、格納モジュール６１０から情報を読み取る又は格納モジュール６１０に情報を書き込むことができる。格納モジュール６１０は、処理前、中、又は後に情報を格納するように構成することができる。処理モジュール６０５は、受信モジュール６４０及び送信モジュール６４１に結合することもできる。受信モジュール６４０は、フェムトノード２１０又はマクロノード２０５からインバウンド無線メッセージ（例えば、パイロット信号）を受信するように構成することができる。送信モジュール６４１は、フェムトノード２１０又はマクロノード２０５にアウトバウンド無線メッセージ（例えば、ＰＳＭＭ）を送信するように構成することができる。
【００７４】
インバウンド無線メッセージは、処理のために処理モジュール６０５に渡すことができる。例えば、受信モジュール６４０によって受信されたパイロット信号を処理モジュール６０５に渡すことができる。処理モジュール６０５は、
パイロット信号を報告するためのＰＳＭＭを生成することができる。ＰＳＭＭは、パイロット信号のオフセットの表示を備えることができる。ＰＳＭＭは、パイロット信号の受信された強度をさらに備えることができる。処理モジュール６０５は、ＰＳＭＭを送信のために送信モジュール６４１に渡すことができる。
【００７５】
受信モジュール６４０及び送信モジュール６４１は、アンテナと、トランシーバと、を備えることができる。トランシーバは、フェムトノード２１０及びマクロノード２０５に行く又はフェムトノード２１０及びマクロノード２０５から来るアウトバウンド／インバウンド無線メッセージを変調／復調するように構成することができる。アウトバウンド／インバウンド無線メッセージは、アンテナを介して送信／受信することができる。アンテナは、１つ以上のチャネルを通じてフェムトノード２１０及びマクロノード２０５と通信するように構成することができる。アウトバウンド／インバウンド無線メッセージは、音声及び／又はデータ専用情報（ここでは総称して“データ”と呼ばれる）を備えることができる。受信モジュール６４０は、受信されたデータを復調することができる。受信モジュール６４０は、ＡＴ２２１から送信されるデータを変調することができる。処理モジュール６０５は、送信されるデータを提供することができる。
【００７６】
格納モジュール６１０は、異なるレベルが異なる容量及びアクセス速度を有する多レベル階層キャッシュを含む処理モジュールキャッシュを備えることができる。格納モジュール６１０は、ランダムアクセスメモリ（ＲＡＭ）、その他の揮発性記憶デバイス、又は非揮発性記憶デバイスを備えることもできる。記憶装置は、ハードドライブと、光学ディスク、例えば、コンパクトディスク（ＣＤ）又はデジタルビデオディスク（ＤＶＤ）、と、フラッシュメモリと、フロッピーディスクと、磁気テープと、Ｚｉｐドライブと、を含むことができる。
【００７７】
別々に説明されるが、アクセス端末２２１に関して説明される機能ブロックは、別個の構造上の要素である必要はないことが理解されるべきである。例えば、処理モジュール６０５及び格納モジュール６１０は、単一のチップにおいて具現化することができる。処理モジュール６０５は、メモリ、例えばレジスタ、を追加で又は代替で含むことができる。同様に、機能ブロックのうちの１つ以上又は様々なブロックの機能の一部分を単一のチップにおいて具現化することができる。代替として、特定のブロックの機能を２つ以上のチップに実装することができる。
【００７８】
ＡＴ２２１に関して説明される機能ブロックのうちの１つ以上及び／又は機能ブロックの１つ以上の組み合わせ、例えば処理モジュール６０５は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラブルな論理デバイス、ディスクリートゲートロジック、ディスクリートトランジスタロジック、ディスクリートハードウェアコンポーネント、又はそれらのあらゆる適切な組み合わせとして具現化することができる。ＡＴ２２１に関して説明される機能ブロックのうちの１つ以上及び／又は機能ブロックの１つ以上の組み合わせは、計算デバイスの組合せ、例えば、ＤＳＰと、１つのマイクロプロセッサとの組合せ、複数のマイクロプロセッサとの組合せ、ＤＳＰ通信と関連する１つ以上のマイクロプロセッサとの組合せ、又はその他のあらゆる該構成との組合せ、として実装することもできる。
【００７９】
図７は、図２の通信ネットワークのうちの１つにおける典型的なマクロノード２０５の機能ブロック図である。図２に関連して説明したように、マクロノード２０５は、ネットワーク２４０へのアクセスをＡＴ２２１に提供するためにＡＴ２２１と通信することができる。マクロノード２０５は、ＡＴ２２１、等のデバイスからインバウンドメッセージ（例えば、ＰＳＭＭ）を受信するように構成された受信モジュール７３０を備えることができる。マクロノード２０５は、送信モジュール７３１を備えることもできる。送信モジュール７３１は、アウトバウンドメッセージ（例えば、ハンドオフ命令）をその他のデバイスに送信することができる。受信モジュール７３０及び送信モジュール７３１は、処理モジュール７０５に結合することができる。受信モジュール７３０及び送信モジュール７３１は、ネットワーク２４０にアウトバウンドメッセージを渡し、及びネットワーク２４０からインバウンド有線メッセージを受信するように構成することもできる。受信モジュール７３０は、インバウンド有線メッセージを処理のために処理モジュール７０５に渡すことができる。受信モジュール７３０は、インバウンド有線メッセージを処理のために処理モジュール７０５に渡すことができる。処理モジュール７０５は、ネットワーク２４０への送信のために有線アウトバウンドメッセージを処理して送信モジュール７３１に渡すことができる。処理モジュール７０５は、受信モジュール７３０及び送信モジュール７３１を介してＡＴ２２１から来る又はＡＴ２２１に行くインバウンド及びアウトバウンド無線メッセージを処理するように構成することができる。処理モジュール７０５は、フェムトノード２１０のその他のコンポーネントを制御するように構成することもできる。
【００８０】
処理モジュール７０５は、格納モジュール７１０に１つ以上のバスを介してさらに結合することができる。処理モジュール７０５は、格納モジュール７１０から情報を読み取ること又は格納モジュール７１０に情報を書き込むことができる。例えば、格納モジュール７１０は、処理前、中、又は後にインバウンド又はアウトバウンドメッセージを格納するように構成することができる。特に、格納モジュール７１０は、様々なフェムトノードに割り当てられたパイロット信号及び／又はオフセット差を示す情報（例えば、データベース、テーブル、等）を格納するように構成することができる。
【００８１】
処理モジュール７０５は、受信モジュール７３０を介してＡＴから受信されたＰＳＭＭを処理するようにさらに構成することができる。例えば、マクロノード２０５は、ＡＴ２２１によって送信された１つ以上のパイロット信号を備えるＰＳＭＭを受信モジュール７３０を介して受信することができる。次に、処理モジュール７０５は、様々なフェムトノード（例えば、マクロノード２０５がサービスを提供するマクロエリア２３０内のフェムトノード）に割り当てられたパイロット信号及び／又はオフセット差を示す格納モジュール７１０に格納されたデータ（例えば、データベース）にアクセスすることができる。他の実施形態においては、処理モジュール７０５は、受信モジュール７３０及び送信モジュール７３１を介して、ネットワーク２４０に接続されたサーバ上の該データにアクセスことができる。
【００８２】
処理モジュール７３５は、アクセスされたデータに基づいてパイロット信号をＡＴ２２１に送信したフェムトノード２１０のアイデンティティをさらに決定することができる。アクセスされたデータは、ＡＴ２２１がフェムトノード２１０と通信するように設定されているかどうかをさらに示すことができる。一実施形態においては、処理モジュール７３５は、ＰＳＭＭのパイロット信号の強度がスレショルドレベルを上回るかどうかをさらに決定することができる。決定された情報に基づいて、処理モジュール７３５は、フェムトノード２１０にハンドオフしてフェムトノード２１０との通信を開始するようにＡＴ２２１に指示するメッセージを生成することができる。処理モジュール７３５は、送信モジュール７３１にメッセージを渡すことができ、それは、ＡＴ２２１にメッセージを送信する。
【００８３】
受信モジュール７３０及び送信モジュール７３１は、アンテナと、トランシーバと、を備えることができる。トランシーバは、ＡＴ２２１に行く又はＡＴ２２１から来る無線アウトバウンド／インバウンドメッセージをそれぞれ変調／復調するように構成することができる。無線アウトバウンド／インバウンドメッセージは、アンテナを介して送信／受信することができる。アンテナは、１つ以上のチャネルを通じてアウトバウンド／インバウンド無線メッセージをＡＴ２２１に送信する及び／又はから受信するように構成することができる。アウトバウンド／インバウンドメッセージは、音声及び／又はデータ専用情報（ここでは総称して“データ”と呼ばれる）を備えることができる。受信モジュール７３０は、受信されたデータを復調することができる。送信モジュール７３１は、マクロノード２０５から送信されるデータを変調することができる。処理モジュール７０５は、送信されるデータを提供することができる。
【００８４】
受信モジュール７３０及び送信モジュール７３１は、モデムをさらに備えることができる。モデムは、ネットワーク２４０に行く又はネットワーク２４０から来るアウトバウンド／インバウンド有線メッセージを変調／復調するように構成することができる。受信モジュール７３０は、受信されたデータを復調することができる。復調されたデータは、処理モジュール７０５に送信することができる。送信モジュール７３１は、マクロノード２０５から送信されるデータを変調することができる。処理モジュール７０５は、送信されるデータを提供することができる。
【００８５】
格納モジュール７１０は、異なるレベルが異なる容量及びアクセス速度を有する多レベル階層キャッシュを含む処理モジュールキャッシュを備えることができる。格納モジュール７１０は、ランダムアクセスメモリ（ＲＡＭ）、その他の揮発性記憶デバイス、又は非揮発性記憶デバイスを備えることもできる。記憶装置は、ハードドライブと、光学ディスク、例えば、コンパクトディスク（ＣＤ）又はデジタルビデオディスク（ＤＶＤ）、と、フラッシュメモリと、フロッピーディスクと、磁気テープと、Ｚｉｐドライブと、を含むことができる。
【００８６】
別々に説明されるが、マクロノード７１０に関して説明される機能ブロックは、別個の構造上の要素である必要はないことが理解されるべきである。例えば、処理モジュール７０５及び格納モジュール７１０は、単一のチップにおいて具現化することができる。処理モジュール７０５は、メモリ、例えばレジスタ、を追加で又は代替で含むことができる。同様に、機能ブロックのうちの１つ以上又は様々なブロックの機能の一部分を単一のチップにおいて具現化することができる。代替として、特定のブロックの機能を２つ以上のチップに実装することができる。
【００８７】
マクロノード２０５に関して説明される機能ブロックのうちの１つ以上及び／又は機能ブロックの１つ以上の組み合わせ、例えば処理モジュール７０５は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラブルな論理デバイス、ディスクリートゲートロジック、ディスクリートトランジスタロジック、ディスクリートハードウェアコンポーネント、又はそれらのあらゆる適切な組み合わせとして具現化することができる。マクロノード２０５に関して説明される機能ブロックのうちの１つ以上及び／又は機能ブロックの１つ以上の組み合わせは、計算デバイスの組合せ、例えば、ＤＳＰと、１つのマイクロプロセッサとの組合せ、複数のマイクロプロセッサとの組合せ、ＤＳＰ通信と関連する１つ以上のマイクロプロセッサとの組合せ、又はその他のあらゆる該構成との組合せ、として実装することもできる。
【００８８】
（例えば、添付図のうちの１つ以上に関して）ここにおいて説明される機能は、添付された請求項において同様に指定された“ための手段”機能に幾つかの態様において対応することができる。図５乃至７を参照し、フェムトノード２１０、ＡＴ２２１、及びマクロノード２０５は、一連の相互に関連する機能モジュールとして表される。
【００８９】
図５乃至７のモジュールの機能は、ここにおける教示と一致する様々な方法で実装することができる。幾つかの態様においては、これらのモジュールの機能は、１つ以上の電気的コンポーネントとして実装することができる。幾つかの態様においては、これらのブロックの機能は、１つ以上のプロセッサコンポーネントを含む処理システムとして実装することができる。幾つかの態様においては、これらのモジュールの機能は、例えば、１つ以上の集積回路（例えば、ＡＳＩＣ）の少なくとも一部分を用いて実装することができる。ここにおいて説明されるように、集積回路は、プロセッサ、ソフトウェア、その他の関連コンポーネント、又はそれらの何らかの組み合わせを含むことができる。これらのモジュールの機能は、ここにおいて教示されるように何らかのその他の方法で実装することもできる。
【００９０】
図８は、フェムトノードの第１の典型的な関連性及び図４、５、及び７に示されるフェムトノード２１０、２１２及びマクロノード２０５によって用いることができるパイロット信号を示したテーブルである。図２、５、６、及び７を用いて上述されるように、エリア（例えば、マクロエリア２３０）内のフェムトノードは、複数のパイロット信号及び／又はそれらのパイロット信号のオフセット間の差を一意の識別子として用いることができる。パイロット信号及び差は、図８に示されるように割り当てることができ、各フェムトノードは、パイロットの一意の組み合わせ及びそれらのパイロットのオフセット間の計算された差を有する。例えば、テーブル８００は、４つの一意のパイロット信号Ａ、Ｂ、Ｃ、及びＤを備える。これらのパイロット信号は、それぞれ０、６４、１２８、及び１９２のＰＮオフセットに対応することができる。各フェムトノード  フェムト０乃至フェムト２９（ｆｅｍｔｏ０−ｆｅｍｔｏ２９）は、パイロット信号Ａ、Ｂ、Ｃ、及びＤのうちの２つが割り当てられる。さらに、各フェムトノード  フェムト０乃至フェムト２９は、割り当てられたパイロット信号のＰＮオフセット間の差が割り当てられる。上述されるように、パイロット信号Ａ、Ｂ、Ｃ、及びＤのうちの１つの探索ウィンドウ内のＰＮオフセットを有する状態で受信されたパイロット信号が、そのパイロット信号Ａ、Ｂ、Ｃ、又はＤとして解釈される。従って、フェムトノード  フェムト０乃至フェムト２９の各々は、パイロット信号を送信し、各々は、割り当てられたパイロット信号の探索ウィンドウ内のオフセットを有する。さらに、パイロット信号は、パイロット信号のＰＮオフセット間の割り当てられた差を有する状態で送信される。従って、フェムト０乃至フェムト２９の各々は、一意の“シグナチャ”又はパイロット信号の組み合わせを送信する。
【００９１】
テーブル８００は、マクロノード２０５において又はネットワーク２４０に結合されたサーバにおいて格納することができる。従って、サーバ又はマクロノード２０５は、それが送信すべきパイロット信号に関して各フェムトノードに命令することができる。さらに、各フェムトノードに割り当てられたパイロット信号は、一定であることができ又はマクロノード２０５又はサーバによって動的に変更することができる。
【００９２】
ＡＴ２２１は、１つ以上のフェムトノードからパイロット信号を受信すること及びパイロット信号をＰＳＭＭでマクロノード２０５に報告することができる。マクロノード２０５は、テーブル８００又はメモリに格納されたテーブル８００に類似するデータ構造を有することができる。他の実施形態においては、テーブル８００又は類似のデータ構造は、マクロノード２０５がアクセスする、ネットワーク２４０に接続されたサーバに格納することができる。マクロノード２０５は、１つ以上のパイロット信号の値をテーブル８００の値にマッチングさせることによってＡＴ２２１にパイロット信号を送信した１つ以上のフェムトノードのアイデンティティを決定することができる。従って、マクロノード２０５は、各フェムトノードを一意で識別し、識別されたフェムトノードにハンドオフするようにＡＴ２２１に指示することができる。
【００９３】
図９は、図４及び５に示されるフェムトノードを識別するための典型的なプロセスを示したフローチャートである。第１のステップ９０８において、フェムトノード２１０は、複数のパイロット信号を送信する。ステップ９１２において続行し、ＡＴ２２１は、複数のパイロット信号を受信する。さらに、ステップ９１６において、ＡＴ２２１は、受信されたパイロット信号を示すメッセージをＡＴ２２１が通信中であるサービングノード（例えば、マクロノード２０５）に送信する。次に、ステップ９２０において、サービングノードは、メッセージを受信する。
【００９４】
ステップ９２４において続行し、サービングノードは、複数のパイロット信号のＰＮオフセット間の差を決定する。さらにステップ９２８において、サービングノードは、少なくとも複数のパイロット信号のＰＮオフセット間の決定された差に基づいてフェムトノード２１０のアイデンティティを決定する。例えば、サービングノードは、複数のパイロット信号のＰＮオフセットと複数のパイロット信号の個々のＰＮオフセットとの間の決定された差に基づいてフェムトノード２１０を識別するテーブル（例えば、テーブル８００）にアクセスすることができる。
【００９５】
次のステップ９３２において、サービングノードは、ＡＴ２２１がフェムトノード２１０と通信する権限を付与されているかどうかを決定する。例えば、サービングノードは、ＡＴ２２１がフェムトノード２１０と通信するように設定されているかどうかを決定する。ＡＴ２２１がフェムトノード２１０と通信するように設定されていないとサービングノードが決定した場合は、プロセス９００は終了する。ＡＴ２２１がフェムトノード２１０と通信するように設定されているとサービングノードが決定した場合は、プロセス９００は、続行してステップ９３６に進む。ステップ９３６において、サービングノードは、フェムトノード２２１にハンドオフし及びフェムトノード２２１と通信するようにＡＴ２２１に指示する。これで、プロセス９００は終了する。
【００９６】
指定表現、例えば、“第１の”、“第２の”、を用いたここにおける要素へのいずれの言及も、それらの要素の数量又は順序を概して限定するものではないことが理解されるべきである。むしろ、これらの指定表現は、２つ以上の要素を区別するか又は１つの要素の複数の事例を区別する好都合な方法としてここにおいて用いることができる。従って、第１及び第２の要素への言及は、２つの要素のみがそこにおいて採用可能であるということ又は第１の要素が何らかの形で第２の要素に先行しなければならないということは意味しない。さらに、別の記載がない限り、要素の組は、１つ以上の要素を備えることができる。さらに、説明又は請求項において用いられる形態“Ａ、Ｂ、又はＣのうちの１つ”の用語は、“Ａ又はＢ又はＣ又はこれらの要素のあらゆる組み合わせ”を意味する。
【００９７】
ここにおいて提示される実施形態及びその他の実施形態は、添付された補遺（Ａｐｐｅｎｄｉｘ）においてさらに詳細に説明される。本明細書は、本発明の特定の例について記述する一方で、当業者は、発明概念を逸脱することなしに本発明の変形を案出可能である。例えば、ここにおける教示は、回線交換型ネットワークの要素を意味するが、パケット交換型ドメインネットワークの要素に対しても等しく適用可能である。
【００９８】
情報及び信号は、様々な異なる技術及び技法のうちのいずれかを用いて表すことができることを当業者は理解するであろう。例えば、上記の説明全体を通じて参照されることがあるデータ、命令、コマンド、情報、信号、ビット、シンボル、及びチップは、電圧、電流、電磁波、磁場、磁気粒子、光学場、光学粒子、又はそれらのあらゆる組合せによって表すことができる。
【００９９】
ここにおいて開示される例と関係させて説明される様々な例示的な論理ブロック、モジュール、回路、方法及びアルゴリズムは、電子ハードウェア、コンピュータソフトウェア、又は両方の組み合わせとして実装できることを当業者はさらに理解するであろう。ハードウェアとソフトウェアのこの互換性を明確に例示するため、上記においては、様々な例示的なコンポーネント、ブロック、モジュール、回路、方法及びアルゴリズムが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本発明の適用範囲からの逸脱を生じさせるものであるとは解釈されるべきではない。  
ここにおいて開示される例と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラミング可能な論理デバイス、ディスクリートゲートロジック、ディスクリートトランジスタロジック、ディスクリートハードウェアコンポーネント、又はそれらのあらゆる組合せ、を用いて実装又は実行することができる。汎用プロセッサは、マイクロプロセッサであることができるが、代替においては、プロセッサは、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。
【０１００】
ここにおいて開示される例と関係させて説明される方法又はアルゴリズムは、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。記憶媒体は、プロセッサに結合させることができ、このため、プロセッサは、記憶媒体から情報を読み出すこと及び記憶媒体に情報を書き込むことができる。代替においては、記憶媒体は、プロセッサと一体化させることができる。プロセッサ及び記憶媒体は、ＡＳＩＣ内に常駐することができる。
【０１０１】
１つ以上の典型的な実施形態において、説明される機能は、ハードウェア、ソフトウェア、ファームウェア、又はそれらのあらゆる組み合わせにおいて実装することができる。ソフトウェアにおいて実装される場合は、これらの機能は、コンピュータによって読み取り可能な媒体に１つ以上の命令又は符号として格納することができる。コンピュータによって読み取り可能な媒体は、１つの場所から他へのコンピュータプログラムの転送を容易にするコンピュータ記憶媒体を含む。記憶媒体は、汎用の又は特殊目的のコンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコード手段を搬送又は格納するために用いることができ及び汎用の又は特殊目的のコンピュータ、又は汎用の又は特殊目的のプロセッサによってアクセス可能であるその他の媒体、を備えることができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピーディスク（ｄｉｓｋ）と、ブルーレイディスク（ｄｉｓｃ）と、を含み、ここで、ｄｉｓｋは、通常は磁気的にデータを複製し、ｄｉｓｃは、レーザを用いて光学的にデータを複製する。上記の組合せも、コンピュータによって読み取り可能な媒体の適用範囲に含めるべきである。
【０１０２】
さらに、ソフトウェアにおいて実装される場合は、これらの機能は、送信媒体を通じて１つ以上の命令又は符号として送信することができる。送信媒体は、１つ以上の命令又は符号を送信するためのあらゆる利用可能な接続であることができる。例えば、ソフトウェアが、同軸ケーブル、光ファイバケーブル、より対線、デジタル加入者ライン（ＤＳＬ）を用いてウェブサイト、サーバ、又はその他の遠隔ソースから送信される場合は、該同軸ケーブル、光ファイバケーブル、より対線、ＤＳＬは、送信媒体の定義の中に含まれる。
【０１０３】
開示される例に関する上記説明は、当業者が本発明を製造又は使用するのを可能にすることを目的として提供される。これらの例に対する様々な修正は、当業者にとって容易に明確になるであろう、及び、ここにおいて定められる一般原理は、本発明の精神及び適用範囲を逸脱することなしにその他の例に対しても適用することができる。以上のように、本発明は、ここにおいて示される例に限定されることが意図されるものではなく、ここにおいて開示される原理及び斬新な特徴に一致する限りにおいて最も広範な適用範囲が認められるべきである。
以下、本願の出願当初に特許請求の範囲に記載されていた請求項を付記する。
（１）  通信ネットワークにおいて動作可能な無線通信装置であって、
複数の異なるパイロット信号を示す少なくとも１つのメッセージを通信デバイスから受信するように構成されており、ここで第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記通信デバイスの識別子として働く、受信機と、
他の通信デバイスに命令を送信するように構成された送信機であって、前記命令は、前記通信デバイスと通信するように前記他の通信デバイスに命令する送信機であって、前記受信された少なくとも１つのメッセージに応答して前記命令を送信する送信機と、を備える無線通信装置。
（２）  前記符号は、擬似雑音ショートコードを備える（１）に記載の装置。
（３）  前記第１のオフセット、前記第２のオフセット、及び前記第１のオフセットと前記第２のオフセットとの間の前記差は、組み合わさって、前記通信デバイスの前記識別子として働く（１）に記載の装置。
（４）  前記第１のパイロット信号及び前記第２のパイロット信号を前記通信デバイスに割り当てるように構成されたプロセッサをさらに備える（１）に記載の装置。
（５）  通信ネットワークにおいて動作可能な無線通信装置であって、
複数の異なるパイロット信号を送信するように構成され、ここで第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記無線通信装置の識別子として働く、送信機と、
前記送信機に結合されたプロセッサであって、前記複数の異なるパイロット信号を送信するように前記送信機に指示するように構成されたプロセッサと、
を備える、無線通信装置。
（６）  前記符号は、擬似雑音ショートコードを備える（５）に記載の装置。
（７）  前記第１のオフセット、前記第２のオフセット、及び前記第１のオフセットと前記第２のオフセットとの間の前記差は、組み合わさって、前記無線通信装置の前記識別子として働く（５）に記載の装置。
（８）  前記送信機は、前記複数の異なるパイロット信号を実質的に同時並行して送信するようにさらに構成される（５）に記載の装置。
（９）  通信ネットワークにおいて通信するための方法であって、
複数の異なるパイロット信号を示す少なくとも１つのメッセージを通信デバイスから受信することを備え、ここで、第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記通信デバイスの識別子として働き、
そして、他の通信デバイスに命令を送信することであって、前記命令は、前記通信デバイスと通信するように前記他の通信デバイスに命令し、また前記命令は、前記受信された少なくとも１つのメッセージに応答して送信されることを備える、方法。
（１０）  前記符号は、擬似雑音ショートコードを備える（９）に記載の方法。
（１１）  前記第１のオフセット、前記第２のオフセット、及び前記第１のオフセットと前記第２のオフセットとの間の前記差は、組み合わさって、前記通信デバイスの前記識別子として働く（９）に記載の方法。
（１２）  前記第１のパイロット信号及び前記第２のパイロット信号を前記通信デバイスに割り当てることをさらに備える（９）に記載の方法。
（１３）  通信ネットワークにおいて通信するための方法であって、
複数の異なるパイロット信号を送信することと、ここで、第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記無線通信装置の識別子として働き、
そして、前記複数の異なるパイロット信号の前記送信を指示すること、
を備える方法。
（１４）  前記符号は、擬似雑音ショートコードを備える（１３）に記載の方法。
（１５）  前記第１のオフセット、前記第２のオフセット、及び前記第１のオフセットと前記第２のオフセットとの間の前記差は、組み合わさって、前記無線通信装置の前記識別子として働く（１３）に記載の方法。
（１６）  前記複数の異なるパイロット信号を実質的に同時並行して送信することをさらに備える（１３）に記載の方法。
（１７）  通信ネットワークにおいて動作可能な無線通信装置であって、
複数の異なるパイロット信号を示す少なくとも１つのメッセージを通信デバイスから受信するための手段を備え、ここで、第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記通信デバイスの識別子として働き、
そして、他の通信デバイスに命令を送信するための手段であって、前記命令は、前記通信デバイスと通信するように前記他の通信デバイスに命令し、また前記送信する手段は、前記受信された少なくとも１つのメッセージに応答して前記命令を送信する手段を備える、無線通信装置。
（１８）  前記符号は、擬似雑音ショートコードを備える（１７）に記載の装置。
（１９）  前記第１のオフセット、前記第２のオフセット、及び前記第１のオフセットと前記第２のオフセットとの間の前記差は、組み合わさって、前記通信デバイスの前記識別子として働く（１７）に記載の装置。
（２０）  前記第１のパイロット信号及び前記第２のパイロット信号を前記通信デバイスに割り当てるための手段をさらに備える（１７）に記載の装置。
（２１）通信ネットワークにおいて動作可能な無線通信装置であって、
複数の異なるパイロット信号を送信するための手段を備え、ここで、第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記無線通信装置の識別子として働き、
そして、前記複数の異なるパイロット信号を送信するように前記送信機に指示するための手段、
を備える無線通信装置。
（２２）  前記符号は、擬似雑音ショートコードを備える（２１）に記載の装置。
（２３）  前記第１のオフセット、前記第２のオフセット、及び前記第１のオフセットと前記第２のオフセットとの間の前記差は、組み合わさって、前記無線通信装置の前記識別子として働く（２１）に記載の装置。
（２４）  前記送信する手段は、前記複数の異なるパイロット信号を実質的に同時並行して送信するようにさらに構成される（２１）に記載の装置。
（２５）  コンピュータプログラム製品であって、
コンピュータによって読み取り可能な媒体が、
複数の異なるパイロット信号を示す少なくとも１つのメッセージを通信デバイスから受信することをコンピュータに行わせるための符号を備え、ここで第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記通信デバイスの識別子として働き、
また、他の通信デバイスに命令を送信することをコンピュータに行わせるための符号であって、前記命令は、前記通信デバイスと通信するように前記他の通信デバイスに命令する符号を備え、ここで前記命令は、前記受信された少なくとも１つのメッセージに応答して送信される、
コンピュータプログラム製品。
（２６）  前記符号は、擬似雑音ショートコードを備える（２５）に記載のコンピュータプログラム製品。
（２７）  前記第１のオフセット、前記第２のオフセット、及び前記第１のオフセットと前記第２のオフセットとの間の前記差は、組み合わさって、前記通信デバイスの前記識別子として働く（２５）に記載のコンピュータプログラム製品。
（２８）  前記コンピュータによって読み取り可能な媒体は、前記第１のパイロット信号及び前記第２のパイロット信号を前記通信デバイスに割り当てることをコンピュータに行わせるための符号をさらに備える（２５）に記載のコンピュータプログラム製品。
（２９）  コンピュータプログラム製品であって、
コンピュータによって読み取り可能な媒体が、
複数の異なるパイロット信号を送信することをコンピュータに行わせるための符号を備え、ここで第１のパイロット信号は、符号に適用された第１のオフセットを備え、第２のパイロット信号は、前記符号に適用された第２のオフセットを備え、少なくとも前記第１のオフセットと前記第２のオフセットとの間の差は、前記通信装置の識別子として働き、
そして、前記複数の異なるパイロット信号の前記送信を指示することをコンピュータに行わせるための符号を備える、コンピュータプログラム製品。
（３０）  前記符号は、擬似雑音ショートコードを備える（２９）に記載のコンピュータプログラム製品。
（３１）  前記第１のオフセット、前記第２のオフセット、及び前記第１のオフセットと前記第２のオフセットとの間の前記差は、組み合わさって、前記無線通信装置の前記識別子として働く（２９）に記載のコンピュータプログラム製品。
（３２）  前記コンピュータによって読み取り可能な媒体は、前記複数の異なるパイロット信号を実質的に同時並行して送信することをコンピュータに行わせるための符号をさらに備える（２９）に記載のコンピュータプログラム製品。
【図１】
0005415554.tif 000002
【図２】
0005415554.tif 000003
【図３】
0005415554.tif 000004
【図４】
0005415554.tif 000005
【図５】
0005415554.tif 000006
【図６】
0005415554.tif 000007
【図７】
0005415554.tif 000008
【図８】
0005415554.tif 000009
【図９】
0005415554.tif 000010